(57)【要約】【課題】液受けパンに雪が降り積もっていてもポンプバレルの上端部から漏洩する貯蔵物を回収することができる貯蔵タンクを提供する。【解決手段】貯蔵タンク１は、ＬＮＧ等の貯蔵物を貯蔵するタンク本体１１、タンク本体１１の上部に設けられた屋根１２、屋根１２からタンク本体１１内に垂直状態に配設されるポンプバレル１３ａ〜１３ｅ、ポンプバレル１３ａ〜１３ｅの上端部から漏洩する貯蔵物の飛散を防止する飛散防止カバー１４ａ〜１４ｅ、ポンプバレル１３ａ〜１３ｅの上端部と屋根１２との間に配設され、屋根１２に向けて飛散される貯蔵物を受けて回収する液受けパン１５、液受けパン１５で回収された貯蔵物を集液槽１７に導く導液管１６、及び飛散防止カバー１４ａ〜１４ｅで飛散が防止された貯蔵物を液受けパン１５を介さずに導液管１６に導く補助導液管１８ａ〜１８ｅを備える。【選択図】図１
2012056624.tif 000002
【特許請求の範囲】
【請求項１】
貯蔵物を貯蔵するタンク本体と、該タンク本体の上部に設けられた屋根と、該屋根から前記タンク本体内に垂直状態に配設されるポンプバレルとを備える貯蔵タンクにおいて、
前記ポンプバレルの上端部に設けられ、前記ポンプバレルの上端部から漏洩する貯蔵物の飛散を防止する飛散防止カバーと、
前記ポンプバレルの上端部と前記屋根との間に配設され、前記屋根に向けて飛散される前記貯蔵物を受けて回収する液受けパンと、
前記液受けパンで回収された前記貯蔵物を集液槽に導く導液管と、
前記飛散防止カバーで飛散が防止された前記貯蔵物を前記液受けパンを介さずに前記導液管に導く補助導液管と
を備えることを特徴とする貯蔵タンク。
【請求項２】
前記飛散防止カバーは、飛散が防止された前記貯蔵物を下方に排出する排出部を備えており、
前記補助導液管は、一端部が前記排出部の径よりも大きな径に設定されており、当該一端部に前記排出部の下端が介挿された状態で前記排出部の下方に配設される
ことを特徴とする請求項１記載の貯蔵タンク。
【請求項３】
前記ポンプバレル、前記飛散防止カバー、及び前記補助導液管は複数設けられており、
前記補助導液管は、集合されて前記導液管に対して一箇所で接続される
ことを特徴とする請求項２記載の貯蔵タンク。
【請求項４】
前記ポンプバレル、前記飛散防止カバー、及び前記補助導液管は複数設けられており、
前記補助導液管は、前記導液管に対して互いに異なる部分で接続される
ことを特徴とする請求項２記載の貯蔵タンク。
【請求項５】
前記液受けパンは、前記ポンプバレルが介挿される第１開口と、前記補助導液管が開口される第２開口とを有することを特徴とする請求項１から請求項４の何れか一項に記載の貯蔵タンク。
【発明の詳細な説明】
【技術分野】
【０００１】
本発明は、液化天然ガス（ＬＮＧ：Liquefied Natural Gas）や液化石油ガス（ＬＰＧ：Liquefied Petroleum Gas）等の貯蔵物を貯蔵する貯蔵タンクに関する。
【背景技術】
【０００２】
一般的に、ＬＮＧやＬＰＧ等（以下、単にＬＮＧという）を貯蔵する貯蔵タンクは、地上式の貯蔵タンクと地下式の貯蔵タンクに大別される。地上式の貯蔵タンクは、円筒状のタンク本体及び円形ドーム状の屋根が共に地上に設置される。これに対し、地下式の貯蔵タンクは、円筒状のタンク本体が地中に埋設され、円形ドーム状の屋根がタンク本体を上方から覆うように地表に設置される。地下式の貯蔵タンクは、周辺環境との調和が必要となる地域、或いは土地の有効活用が必要となる地域で用いられることが多い。
【０００３】
地上式の貯蔵タンクのうちＰＣタンク及び地下式の貯蔵タンクは何れも、屋根からタンク本体内の底部にかけて垂直に配設された複数のポンプバレルを備える。このポンプバレルは、その底部にポンプが収納されており、貯蔵物であるＬＮＧを外部に払い出すために用いられる筒状部材である。また、ポンプバレルはその上端部が屋根から上方に突出した状態に配設され、その上端部には漏洩したＬＮＧの飛散を防止する飛散防止カバーが取り付けられている。
【０００４】
屋根上のポンプバレルが配設された部位には、ポンプの点検作業時等にポンプから落下するＬＮＧを受けて回収することにより、低温のＬＮＧが屋根に付着するのを防止する液受けパンが設けられている。また、液受けパンは、ポンプバレルの上端部から漏洩したＬＮＧであって、飛散防止カバーで飛散が防止されて液受けパンに導かれるＬＮＧを回収するためにも用いられる。液受けパンで回収されたＬＮＧは、導液管を介して貯蔵タンクの外部に設けられた集液槽に集められる。
【０００５】
尚、以下の特許文献１には、ＬＮＧを貯蔵するＬＮＧタンクと、ＬＮＧタンクの周囲に設けられた防液堤と、ＬＮＧタンクと防液堤との間の敷地上に配設されてＬＮＧ吸入口がフロート型にされた排ガスダクトとを備えるガス貯蔵所が開示されている。このガス貯蔵所では、ＬＮＧタンクから漏出したＬＮＧが貯蔵所構外に流出するのを防液堤によって防止しつつ、漏出したＬＮＧを排ガスダクトによって上空に拡散させている。
【先行技術文献】
【特許文献】
【０００６】
【特許文献１】特開平５−１９６１９９号公報
【発明の概要】
【発明が解決しようとする課題】
【０００７】
ところで、上述した液受けパンは、その上部が開口した受け皿状の部材であって、ポンプ点検作業時等にポンプから落下するＬＮＧやポンプバレルの上端部から漏洩したＬＮＧ（飛散防止カバーで飛散が防止されて液受けパンに導かれるＬＮＧ）を下方で受けることによって回収するものである。このため、例えば降雪の多い地域に設置された貯蔵タンクでは、液受けパン上に雪が降り積もってしまうとＬＮＧを回収することができなくなるという問題がある。
【０００８】
ここで、ポンプ点検作業時等にポンプから落下するＬＮＧについては、作業者がポンプ点検の作業を行う直前に液受けパン上の雪を取り除けば液受けパンで回収することも不可能ではないと考えられる。しかしながら、ポンプバレルの上端部から漏洩するＬＮＧ（飛散防止カバーで飛散が防止されて液受けパンに導かれるＬＮＧ）については、漏洩する時間が不定であるため、液受けパン上の雪を取り除いてもその後に降り積もる雪によって回収が不可能になってしまうと考えられる。
【０００９】
本発明は、上記事情に鑑みてなされたものであり、液受けパンに雪が降り積もっていてもポンプバレルの上端部から漏洩する貯蔵物を回収することができる貯蔵タンクを提供することを目的とする。
【課題を解決するための手段】
【００１０】
上記課題を解決するために、本発明の貯蔵タンクは、貯蔵物を貯蔵するタンク本体（１１）と、該タンク本体の上部に設けられた屋根（１２）と、該屋根から前記タンク本体内に垂直状態に配設されるポンプバレル（１３ａ〜１３ｅ）とを備える貯蔵タンク（１）において、前記ポンプバレルの上端部に設けられ、前記ポンプバレルの上端部から漏洩する貯蔵物の飛散を防止する飛散防止カバー（１４ａ〜１４ｅ）と、前記ポンプバレルの上端部と前記屋根との間に配設され、前記屋根に向けて飛散される前記貯蔵物を受けて回収する液受けパン（１５）と、前記液受けパンで回収された前記貯蔵物を集液槽（１７）に導く導液管（１６）と、前記飛散防止カバーで飛散が防止された前記貯蔵物を前記液受けパンを介さずに前記導液管に導く補助導液管（１８ａ〜１８ｅ）とを備えることを特徴としている。
また、本発明の貯蔵タンクは、前記飛散防止カバーが、飛散が防止された前記貯蔵物を下方に排出する排出部（２０ｃ）を備えており、前記補助導液管が、一端部が前記排出部の径よりも大きな径に設定されており、当該一端部に前記排出部の下端が介挿された状態で前記排出部の下方に配設されることを特徴としている。
また、本発明の貯蔵タンクは、前記ポンプバレル、前記飛散防止カバー、及び前記補助導液管は複数設けられており、前記補助導液管が、集合されて前記導液管に対して一箇所で接続されることを特徴としている。
或いは、本発明の貯蔵タンクは、前記ポンプバレル、前記飛散防止カバー、及び前記補助導液管は複数設けられており、前記補助導液管が、前記導液管に対して互いに異なる部分で接続されることを特徴としている。
また、本発明の貯蔵タンクは、前記液受けパンが、前記ポンプバレルが介挿される第１開口と、前記補助導液管が開口される第２開口とを有することを特徴としている。
【発明の効果】
【００１１】
本発明によれば、ポンプバレルの先端部に設けられた飛散防止カバーで飛散が防止された貯蔵物を、補助導液管によって液受けパンを介さずに導液管に導いているため、液受けパンに雪が降り積もっていてもポンプバレルの上端部から漏洩する貯蔵物を回収することができるという効果がある。
【図面の簡単な説明】
【００１２】
【図１】本発明の一実施形態による貯蔵タンクの全体構成を示す側面図である。
【図２】本発明の一実施形態による貯蔵タンクの一部を拡大して示す平面図である。
【図３】本発明の一実施形態による貯蔵タンクが備える飛散防止カバーを示す図である。
【図４】変形例に係る貯蔵タンクの一部を拡大して示す平面図である。
【発明を実施するための形態】
【００１３】
以下、図面を参照して本発明の一実施形態による貯蔵タンクについて詳細に説明する。図１は本発明の一実施形態による貯蔵タンク（地下式タンク）の全体構成を示す側面図であり、図２は同貯蔵タンクの一部を拡大して示す平面図である。尚、図１では、理解を容易にするために、断面図を織り交ぜて図示している。図１，図２に示す通り、本実施形態の貯蔵タンク１は、タンク本体１１、屋根１２、ポンプバレル１３ａ〜１３ｅ、飛散防止カバー１４ａ〜１４ｅ、液受けパン１５、導液管１６、集液槽１７、及び補助導液管１８ａ〜１８ｅを備えており、ＬＰＧやＬＮＧ等（以下、単にＬＮＧという）の極低温液体を貯蔵物を貯蔵する地下式のタンクである。
【００１４】
タンク本体１１は、地中に埋設されてＬＮＧを貯蔵する略中空円筒状のタンクである。具体的に、タンク本体１１は、コンクリート製躯体として構築された外槽（外殻）とステンレス製のメンブレンとして構築された内槽（内殻）とからなる二重殻構造物である。外槽と内槽との間には、貯蔵物としてのＬＮＧを保冷するためにポリウレタンフォーム（ＰＵＦ）等の保冷材が充填されている。屋根１２は、タンク本体１１を上方から覆うように地表に設置される円形ドーム状のものである。
【００１５】
ポンプバレル１３ａ〜１３ｅは、貯蔵タンク１の屋根１２からタンク本体１１内の底部まで垂直状態に配設された筒状部材であり、貯蔵物であるＬＮＧを外部に払い出すために設けられる。ポンプバレル１３ａ〜１３ｅの上端部は屋根１２から上方に突出した状態に配設される。また、ポンプバレル１３ａ〜１３ｅの下端部（タンク本体１１の底部に配置される下端部）にはポンプ（図示省略）が収納されている。ポンプバレル１３ａ〜１３ｅに設けられたポンプを駆動することにより、ポンプバレル１３ａ〜１３ｅの上端部から外部に貯蔵物であるＬＮＧがそれぞれ払い出される。
【００１６】
飛散防止カバー１４ａ〜１４ｅは、ポンプバレル１３ａ〜１３ｅの上端部から漏洩したＬＮＧの飛散を防止するためのカバー部材であり、ポンプバレル１３ａ〜１３ｅの上端部を覆うようにポンプバレル１３ａ〜１３ｅにそれぞれ取り付けられている。これら飛散防止カバー１４ａ〜１４ｅは、飛散が防止されたＬＮＧが下方に排出されるように構成されている。尚、飛散防止カバー１４ａ〜１４ｅの具体的な構成については後述する。
【００１７】
液受けパン１５は、上部が開口した受け皿状の部材であり、ポンプ点検作業時等にポンプから落下する低温のＬＮＧが屋根１２に付着するのを防止するために設けられている。具体的に、液受けパン１５は、図２に示す通り、平面視形状が略矩形形状の皿状の部材であり、屋根１２上のポンプバレル１３ａ〜１３ｅが配設された部位に設けられている。また、液受けパン１５は、図１に示す通り、ポンプバレル１３ａ〜１３ｅの上端部と屋根１２との間に、屋根１２の傾斜に沿って傾いた状態（屋根１２の頂部側に位置する端部１５ｂよりも屋根１２の縁部側に位置する端部１５ａの高さが低くなるように傾斜した状態）で屋根１２上に配設されている。
【００１８】
この液受けパン１５は、図１，図２に示す通り、ポンプバレル１３ａ〜１３ｅに加えて補助導液管１８ａ〜１８ｅが貫通した状態で屋根１２上に配設される。このため、液受けパン１５には、ポンプバレル１３ａ〜１３ｅの各々が介挿される開口（第１開口）と、補助導液管１８ａ〜１８ｅの各々が開口される開口（第２開口）とが形成されている。尚、各々の開口は、ポンプバレル１３ａ〜１３ｅ及び補助導液管１８ａ〜１８ｅが介挿されている状態でＬＮＧの漏れが生じないようにシールされている。また、屋根１２の縁部側に位置する液受けパン１５の端部１５ａの略中央部には、導液管１６に連通する接続孔１５ｃが形成されている。
【００１９】
導液管１６は、液受けパン１５で回収されたＬＮＧ、及び補助導液管１６を介したＬＮＧを集液槽１７に導くための配管である。この導液管１６は、図１，図２に示す通り、一端が液受けパン１５の接続孔１５ｃに接続されており、途中の部分が屋根１２の縁部に沿って延設されており、他端が集液槽１７内に配設されている。集液槽１７は、防災を目的としてタンク本体１１近傍の地盤面下に形成されており、ポンプ点検作業時等にポンプから落下するＬＮＧやポンプバレル１３ａ〜１３ｅの上端部から漏洩したＬＮＧ（飛散防止カバー１４ａ〜１４ｅで飛散が防止されて補助導液管１６を介するＬＮＧ）が集められる。
【００２０】
補助導液管１８ａ〜１８ｅは、飛散防止カバー１４ａ〜１４ｅで飛散が防止されたＬＮＧを、液受けパン１５を介さずに導液管１６に導く配管であり、ポンプバレル１３ａ〜１３ｅ（飛散防止カバー１４ａ〜１４ｅ）に対応してそれぞれ設けられている。この補助導液管１８ａ〜１８ｅは、液受けパン１５に雪が降り積もっていてもポンプバレル１３ａ〜１３ｅの上端部から漏洩するＬＮＧを集液槽１７に回収可能とするために設けられる。
【００２１】
これら補助導液管１８ａ〜１８ｅは、前述した通り、液受けパン１５に形成された開口に介挿されており、図２に示す通り、一端部が飛散防止カバー１４ａ〜１４ｅの近傍（詳細は後述する）にそれぞれ配置されている一方で、他端部が液受けパン１５の下方において集合されて導液管１６に対して一箇所で接続されている。このため、補助導液管１８ａ〜１８ｅに導かれたＬＮＧは、液受けパン１５を介さずに導液管１６に導かれる。
【００２２】
次に、飛散防止カバー１４ａ〜１４ｅの構成について詳細に説明する。図３は、本発明の一実施形態による貯蔵タンクが備える飛散防止カバーを示す図であって、（ａ）は平面透視図であり、（ｂ）は側面透視図である。尚、図３（ｂ）では、理解を容易にするために、図３（ａ）中のＡ−Ａ線断面矢視図を織り交ぜて図示している。また、図３では、ポンプバレル１３ａ〜１３ｅのうちのポンプバレル１３ａに取り付けられる飛散防止カバー１４ａを代表させて図示している。
【００２３】
まず、飛散防止カバー１４ａが取り付けられるポンプバレル１３ａは、図３（ｂ）に示す通り、その上端部にフランジＦが形成されており、そのフランジＦにはポンプバレル１３ａの上端部からＬＮＧが噴出するのを防止する円盤状のカバー部材Ｃが取り付けられている。また、ポンプバレル１３ａの屋根から上方に突出している部分（フランジＦが形成された部分を除く）の側壁には、全面に亘って断熱材Ｑ１が取り付けられている。ここで、断熱材Ｑ１は、その厚みがフランジＦの突出量（ポンプバレル１３ａの側壁からの突出量）と同程度である。
【００２４】
飛散防止カバー１４ａは、底部カバー部材２０と上部カバー部材２１，２２とからなり、これらのカバー部材が互いにボルト締結されてポンプバレル１３ａの上端部に取り付けられている。下部カバー部材２０は、胴部２０ａ、ドレイン部２０ｂ、及びドレインパイプ２０ｃ（排出部）からなり、胴部２０ａにポンプバレル１３ａが介挿された状態でポンプバレル１３ａの上端部に配設されている。
【００２５】
下部カバー部材２０の胴部２０ａは、内径がポンプバレル１３ａのフランジＦの外径よりも僅かに大に設定された円環状の部材であり、ＬＮＧの漏れが生じないようにその底部とポンプバレル１３ａの側壁に取り付けられた断熱材Ｑ１との間はシールされている。下部カバー部材２０のドレイン部２０ｂは、胴部２０ａの底部から一側方に突出した中空の部位であって、その内部にはポンプバレル１３ａの上端部から漏洩して飛散防止カバー１４ａにより飛散が防止されたＬＮＧが導かれる。下部カバー部材２０のドレインパイプ２０ｃは、底面からドレイン部２０ｂの内部に連通する円環状の部材であり、ドレインパイプ２０ｃに導かれたＬＮＧを下方に排出する。
【００２６】
ここで、図３（ｂ）に示す通り、ドレインパイプ２０ｃの下方には、補助導液管１８ａの一端部が配設されている。具体的に、補助導液管１８ａは、その一端部がドレインパイプ２０ｃの径よりも大きな径に設定されており、その一端部にドレインパイプ２０ｃの下端が介挿された状態でドレインパイプ２０ｃの下方に配設されている。このため、地震等によってドレインパイプ２０ｃと補助導液管１８ａとの相対的な位置（上下方向の相対的内位置及び水平面内における相対的な位置）が多少ずれても、そのずれを吸収することが可能である。
【００２７】
上部カバー部材２１，２２は、上底を有する略半円環状の部材であり、互いにボルト締結された状態で底部カバー部材２０の上方に配設され、その内部にポンプバレル１３ａの上端部（フランジＦを含む）を収容する。上部カバー部材２１は、天板部２１ａ、第１胴部２１ｂ、及び第２胴部２１ｃからなる。同様に、上部カバー部材２２は、天板部２２ａ、第１胴部２１ｂ、及び第２胴部２１ｃからなる。
【００２８】
天板部２１ａ，２１ｂは、その径が第１胴部２１ｂ，２２ｂの外径よりも僅かに大きく形成された半円形状の部材であり、第１胴部２１ｂ，２２ｂの上端に溶接等によりそれぞれ取り付けられている。第１胴部２１ｂ，２２ｂは、内径が第２胴部２１ｃ，２２ｃの内径よりも大きく設定された略半円環形状の部位である。第２胴部２１ｃ，２２ｃは、内径が下部カバー部材２０の胴部２０ａと同一に設定された略半円環形状の部位である。ここで、天板部２１ａ，２２ａの内壁及び第１胴部２１ｂ，２２ｂの内壁には、断熱材Ｑ１と同様の断熱材Ｑ２が取り付けられている。このため、第１胴部２１ｂ，２２ｂの内径は、第２胴部２１ｃ，２２ｃの内径よりも、断熱材Ｑ２の厚みと同程度だけ大きく設定されている。
【００２９】
上部カバー部材２１，２２は、上部カバー部材２１ａ，２１ｂによって円形が形作られるように当接された状態で互いにボルト締結されるとともに、第２胴部２１ｃ，２２ｃの下端部を、下部カバー部材２０の胴部２０ａの上端部に対向させた状態で下部カバー部材２０とボルト締結される。これにより、飛散防止カバー１４ａ内にポンプバレル１３ａの上端部（フランジＦを含む）が収容される。
【００３０】
以上の構成において、ポンプバレル１３ａ〜１３ｅの底部に設けられた不図示のポンプを点検する場合には、まず作業者によって上部カバー部材２１，２２及び断熱材Ｑ２を取り外す作業が行われた後に、フランジＦに取り付けられたカバー部材Ｃを取り外す作業が行われる。次に、ポンプバレル１３ａ〜１３ｅのうちのポンプ点検を行うポンプバレルの上方にクレーン（図示省略）を移動させて点検すべきポンプを引き揚げる作業が行われる。次いで、クレーンを用いて点検が終了したポンプをポンプバレルの底部に配置する作業が行われる。
【００３１】
以上の作業が終了すると、ポンプ点検を行ったポンプバレルのフランジＦにカバー部材Ｃを取り付け、下部カバー部材２０の上方に上部カバー部材２１，２２及び断熱材Ｑ２を取り付ける作業が作業者によって行われる。ポンプの点検作業中にポンプバレルの上端部から飛散したＬＮＧは、下方に配置された液受けパン１５によって受け止められた後、屋根１２の縁部側に位置する端部１５ａに集められ、接続孔１５ｃから導液管１６を介して集液槽１７に回収される。このようにして、ポンプバレルの上端部から飛散したＬＮＧが屋根１２に付着することを防止することができる。尚、液受けパン１５に雪が降り積もっている場合には、作業前に液受けパン１５上の雪を取り除くことにより飛散したＬＮＧを回収することができる。
【００３２】
次に、ポンプバレル１３ａ〜１３ｅの各々に飛散防止カバー１４ａ〜１４ｅがそれぞれ取り付けられている通常状態において、例えばポンプバレル１３ａの先端部（フランジＦとカバー部材Ｃとの隙間）からＬＮＧが漏洩したとする。ポンプバレル１３ａの先端部は、飛散防止カバー１４ａに収容されているため、漏洩したＬＮＧは飛散防止カバー１４ａの上部カバー部材２１，２２に設けられた断熱材Ｑ２に付着等して外部への飛散が防止される。
【００３３】
飛散が防止されたＬＮＧは、断熱材Ｑ２の一部、上部カバー部材２１，２２の第２胴部２１ｃ，２２ｃ、及び下部カバー部材２０の胴部２０ａと、ポンプバレル１３ａの側壁取り付けられた断熱材Ｑ１との間の隙間Ｇを介して下部カバー部材２０のドレイン部２０ｂに導かれてドレインパイプ２０ｃから下方に排出される。ドレインパイプ２０ｃから排出されたＬＮＧは、一端部がドレインパイプ２０ｂｃの下方に配置された補助導液管１８ａにより、液受けパン１５を介さずに導液管１６に導かれて集液槽１７に回収される。このため、仮に液受けパン１５に雪が降り積もっていても、液受けパン１５上の雪を取り除くことなくポンプバレルから漏洩したＬＮＧを回収することができる。
【００３４】
以上、本発明の一実施形態による貯蔵タンクについて説明したが、本発明は上記実施形態に制限されず、本発明の範囲内で自由に変更が可能である。例えば、上記実施形態では、補助導液管１８ａ〜１８ｅの他端部が液受けパン１５の下方において集合されて導液管１６に対して一箇所で接続される例について説明した。しかしながら、図４に示す通り、補助導液管１８ａ〜１８ｅが導液管１６に対して互いに異なる部分で接続される構成であっても良い。これにより、補助導液管１８ａ〜１８のレイアウトの自由度を高めることができる。図４は、変形例に係る貯蔵タンクの一部を拡大して示す平面図である。
【００３５】
また、上述した実施形態では、一直線上に配列された５本のポンプバレル１３ａ〜１３ｅを備える貯蔵タンク１を例に挙げて説明したが、ポンプバレルの数及びその配置は任意に設定することができる。また、上記実施形態では、ポンプバレル１３ａ〜１３ｅの各々が介挿される開口（第１開口）と、補助導液管１８ａ〜１８ｅの各々が開口される開口（第２開口）とが液受けパン１５に形成されている例について説明した。しかしながら、これらは、別々の開口として形成されていても良く、１つの開口として形成されていても良い。但し、何れであってもポンプバレル１３ａ〜１３ｅ及び補助導液管１８ａ〜１８ｅが介挿されている状態でＬＮＧの漏れが生じないようにシールする必要はある。
【００３６】
更に、上記実施形態では、飛散防止カバー１４ａ〜１４ｅが１つの底部カバー部材２０と２つの上部カバー部材２１，２２とから構成されている場合を例に挙げて説明した。しかしながら、飛散防止カバーは、１つの底部カバー部材２０と、上部カバー部材２１，２２が一体化された１つの上部カバー部材とから構成されていても良い。
【符号の説明】
【００３７】
１                貯蔵タンク
１１              タンク本体
１２              屋根
１３ａ〜１３ｅ    ポンプバレル
１４ａ〜１４ｅ    飛散防止カバー
１５              液受けパン
１６              導液管
１７              集液槽
１８ａ〜１８ｅ    補助導液管
２０ｃ            ドレインパイプ
【図１】
2012056624.tif 000003
【図２】
2012056624.tif 000004
【図３】
2012056624.tif 000005
【図４】
2012056624.tif 000006